(57)【要約】      （修正有）【課題】コストと圧損を低減し線材フレームの装入容易なフィルタを提供する。【解決手段】フィルタ２は、正面側に平面状の繊維フィルタ材料を矩形に形成した正面フィルタ層４と、背面側に平面状の繊維フィルタ材料を中央に矩形状開口部５を有して矩形枠状に形成した背面枠状フィルタ層６と、前記正面フィルタ層４の４辺の周縁と前記背面枠状フィルタ層６の４辺の周縁を連接状に折曲して形成された繊維フィルタ材料からなる４辺のフィルタ周縁折曲層１０と、前記正面フィルタ層４と前記背面枠状フィルタ層６の間に形成された薄層間隙１３と、上下又は左右に位置する２辺のフィルタ周縁折曲層１０の夫々に２個の突出口１２、１２を細長状に形成して構成されることを特徴とする。また、前記背面枠状フィルタ層６の周縁に解れ防止用のステッチを形成し、前記突出口１２の周縁に解れ防止用のホールステッチ１２ａが形成されている。【選択図】図１
2015039648.tif 000002
【特許請求の範囲】
【請求項１】
正面側に平面状の繊維フィルタ材料を矩形に形成した正面フィルタ層と、背面側に平面状の繊維フィルタ材料を中央に矩形状開口部を有して矩形枠状に形成した背面枠状フィルタ層と、前記正面フィルタ層の４辺の周縁と前記背面枠状フィルタ層の４辺の周縁を連接状に折曲して形成された繊維フィルタ材料からなる４辺のフィルタ周縁折曲層と、前記正面フィルタ層と前記背面枠状フィルタ層の間に形成された薄層間隙と、上下又は左右に位置する２辺のフィルタ周縁折曲層の夫々に２個の突出口を細長状に形成して構成されることを特徴とするフィルタ。
【請求項２】
前記矩形状開口部の境界を形成する前記背面枠状フィルタ層の周縁に解れ防止用のステッチを形成し、前記突出口の周縁に解れ防止用のホールステッチを形成した請求項１に記載のフィルタ。
【請求項３】
前記正面フィルタ層と前記背面枠状フィルタ層と４辺の前記フィルタ周縁折曲層が一枚の平面状の繊維フィルタ材料から一体に加工形成される請求項１又は２に記載のフィルタ。
【請求項４】
前記繊維フィルタ材料が有機繊維材料、無機繊維材料又は複合繊維材料から形成される請求項１〜３のいずれかに記載のフィルタ。
【請求項５】
前記繊維フィルタ材料は立体編成された厚手の繊維フィルタ材料である請求項１〜４のいずれかに記載のフィルタ。
【請求項６】
請求項１〜５のいずれかに記載のフィルタを用意し、線材を矩形状に折曲形成して対向する２本の縦線材と対向する２本の横線材が連続した周囲線材を設け、２本の縦線材の中間位置で縦線材同士を直交状に連結する１本以上の中間線材を配置し、２本の前記横線材の夫々に外向き状に２個の突起を形成した可撓性を有する内側線材フレームを形成し、前記フィルタの正面フィルタ層と前記背面枠状フィルタ層の間の前記薄層間隙に前記内側線材フレームを内装し、２本の前記横線材の外向き状の２個の突起を２辺のフィルタ周縁折曲層の夫々に形成された２個の突出口に挿入して突出配置させて、前記フィルタと前記内側線材フレームを一体化させたことを特徴とするフィルタ中間体。
【請求項７】
請求項６に記載のフィルタ中間体を用意し、前記フィルタ中間体を装着する外枠フレームが配置され、前記外枠フレームは、中央に矩形状開放部を開口するように左右にある２本の縦押え板と上下にある２本の横押え板を矩形状に配置して形成された周囲押え板と、２本の横押え板の夫々の外側側縁に形成された取付レール部と、２本の前記取付レール部の夫々の内側に平行して断面Ｌ字状に形成された嵌込ガイド部と、前記嵌込ガイド部は押接板と外れ防止板を断面Ｌ字状に２本の前記嵌込ガイド部の夫々と前記横押え板により内方に開口形成された長溝と、２本の前記長溝の両端を封鎖するように２本の前記縦押え板の夫々の外側側縁に配置された側板から構成され、前記フィルタ中間体の上側にある２個の突起を前記外枠フレームの上側にある前記長溝に溝底面に当接するように挿入し、下側にある２個の突起を前記外枠フレームの下側にある前記長溝に溝底面に当接するように挿入して、前記突起が前記嵌込ガイド部の外れ防止板により外方へ抜け出ることが阻止されることを特徴とするフィルタ組立体。
【請求項８】
請求項７に記載のフィルタ組立体をレンジフードの上側コ字型レールと下側コ字型レールに嵌め込むときに、前記フィルタ組立体を構成するフィルタの正面フィルタ層が手前になるように配置し、前記フィルタ組立体の下側の取付レール部を前記下側コ字型レールに嵌込み、前記フィルタ組立体の上側の取付レール部を前記上側コ字型レールに嵌込んで、前記フィルタ組立体をレンジフードに装着することを特徴とするレンジフード。
【発明の詳細な説明】
【技術分野】
【０００１】
本発明は、台所、調理場、厨房などに設けられたレンジフードや換気扇等に配設されるフィルタに関し、更に詳細には、フィルタを簡単な形状にして枠体と簡単に着脱でき、レンジフードにも簡単に取り付けられるフィルタ、フィルタ中間体、フィルタ組立体及びレンジフードに関する。
【背景技術】
【０００２】
レストランの厨房や各家庭の台所に配設されるレンジフードや換気扇には、フィルタが装着されており、排気中の油分や塵埃等の汚れをフィルタで捕集し、このフィルタを交換することにより、レンジフードや換気扇の汚れを防止することが可能である。このようなフィルタは、売切商品として販売されるだけで無く、フィルタをホルダーと組み合わせたフィルタ組立体がレンタル商品として広範囲に実用化されている。
【０００３】
特開２０１２−２１０５９７号公報（特許文献１）には、レンジフード用の複合フィルタが開示されている。この従来例を図示した図１１に示すように、この複合フィルタ１０２は繊維フィルタ材料から矩形状に形成された第１積層布１０４と第２積層布１０５を２枚重ねて構成され、３辺を縫い代部１１６により縫着して袋状に構成されている。また、残る一辺では開口部１０６を開口したまま、２枚の開口辺の夫々を独立に縫い代部１１７により縫着して解れ防止加工されている。開口部１０６を形成する１辺には、舌片状の綴じ代部１１１が形成され、この綴じ代部１１１には面ファスナー１１２が縫着されている。また、残りの一枚の上縁部には面ファスナー１１２が縫着され、２枚の面ファスナー１１２、１１２を着脱することにより、前記開口部１０６の開閉が実現される。
また、左右の縦状の縫い代部１１６、１１６の夫々には、２個の細長状の突出口１１８、１１８が形成されている。即ち、縫い代部１１６の上下２箇所を部分的に縫着しなければ、２個の突出口１１８、１１８が細長状に開口することになる。このように、左の側縁に２個の突出口１１８、１１８が開口され、同時に右の側縁にも２個の突出口１１８、１１８が開口されている。
【０００４】
実用新案登録第３１０１１９７号公報（特許文献２）には、換気扇の汚れ防止カバーが開示されている。この従来例を図示した図１２に示すように、フィルタ部２０３はフレーム２０６の中に金網状本体２０７をメッシュ状に配置して構成されたフィルタである。他方、汚れ防止カバー２１０は、大きく膨らんだ袋状部２１１と開口部（図番号無し）を中心に有した太幅の帯部（図番号無し）からなり、帯部は４箇所の縫合部２１３を縫着して形成されている。帯部の内側周縁にはチューブ状の袋縫い部２１４が形成され、この袋縫い部２１４の中には緊張手段２１２が封入されており、具体的には袋縫い部２１４の中に輪ゴムやスプリングのような弾性線材２１５が封入されている。弾性線材２１５は伸縮自在であるから、袋縫い部２１４は通常はギュッと収縮して開口部は小さくなっているが、手で押し開けば拡張して開口部を大きくすることができる。
フィルタ部２０３を袋状部２１１の中に装入するには、まず袋縫い部２１４を手で拡張して開口部を大面積化し、その大面積化した開口部からフィルタ部２０３を内装し、その後、手を取り去ると袋縫い部２１４が収縮して、フィルタ部２０３は袋状部２１１の中に装着されることになる。
【先行技術文献】
【特許文献】
【０００５】
【特許文献１】特開２０１２−２１０５９７号公報
【特許文献２】実用新案登録第３１０１１９７号公報
【発明の概要】
【発明が解決しようとする課題】
【０００６】
しかしながら、特許文献１の複合フィルタ１０２では、第１積層布１０４と第２積層布１０５を２枚重ねにし周囲を縫着して矩形の袋状にするから、平面状の繊維フィルタ材料が２枚必要になり、一枚よりも高価になる欠点がある。しかも、１枚の繊維フィルタで十分なフィルタ効果を発現する場合には、２枚重ねにすることによってフィルタ前後の空気流圧力の圧損が大きくなり、蒸発油分や塵埃の除去効率が低下する欠点が生じていた。２枚重ねで袋状にする理由は、袋を強制的に平面化するために、袋の中に金属線材で形成された線材フレームを内装する必要があるからである。そのために高価な面ファスナー１１２を２枚必要とし、２枚の面ファスナー１１２を係着させて袋を閉じ、中にある線材フレームの脱落を防止する構造にしているのである。前述したように、このような構造では原価コストが高価になるだけで無く、圧損も大きくなり、除去効率が低下する欠点が生じることは避けられない。
【０００７】
前述したように、特許文献２の換気扇の汚れ防止カバー４は、袋状部２１１と太幅の帯部（番号無し）と緊張手段２１２からなり、この内部に装入されるフィルタ部２０３の汚れを防止するために被着されるものである。従って、汚れ防止カバー４はフィルタではなく、フィルタの汚れ防止の機能を果たすに過ぎない。しかし、その明細書の段落[０００９]には、「排気中に油分があっても、汚れ防止カバーが油分捕捉能力を発揮し、油分を吸着保持し」と記載されており、汚れ防止カバー４もフィルタ作用を有することが記載されている。即ち、フィルタの汚れ防止カバーであれば大きな汚れを除去する機能を有することは理解できる。しかし、この汚れ防止カバー４は、帯部の正面側に大きな袋状部を有しており、平面形状では無く立体形状であるから、収納や管理が難しい。また、空気流の圧損については、フィルタ部２０３の圧損に加えて油分を除去できる汚れ防止カバー２１０の圧損が生じ、総和としての圧損がかなり大きくなると、空気流が通過し難くなり、蒸発油分や塵埃の除去効果が低下するという欠点がある。しかも、図１２から分かるように、太幅の帯部の幅長はかなり大きく、中にフィルタ部２０３を装入すると、袋状部２１１とフィルタ部２０３と帯部が三枚重ねになる領域が大きく、３枚重ね部の圧損はかなり増大し、空気流の通過効率が低下し、油分や塵埃などの除去効率の低下が著しいと云う欠点がある。更に、フィルタ部２０３を汚れ防止カバー２１０の内部に装着する場合には、緊張手段２１２を両手で拡張する必要が有り、装入に際して手さばきが難しいと云う欠点がある。
【０００８】
従って、本発明の目的は、空気流が主として通過する中央部のフィルタ領域をほぼ一枚から構成してフィルタの原価コストを低減し、内側線材フレームをフィルタ内部に簡単に装入でき、内側線材フレームは線材を疎らに配置しているから全く圧損を生じない疎構造であり、そのため空気流が主として通過する中央部のフィルタ領域がほぼ一枚のフィルタで形成されているから、圧損を極力低減でき、空気流の通過効率が高く、蒸発油分や塵埃を効率的に除去することができるフィルタ及びフィルタ組合体を提供することである。
【課題を解決するための手段】
【０００９】
本発明は、上記課題を解決するために発明されたものであり、本発明の第１の形態は、正面側に平面状の繊維フィルタ材料を矩形に形成した正面フィルタ層と、背面側に平面状の繊維フィルタ材料を中央に矩形状開口部を有して矩形枠状に形成した背面枠状フィルタ層と、前記正面フィルタ層の４辺の周縁と前記背面枠状フィルタ層の４辺の周縁を連接状に折曲して形成された繊維フィルタ材料からなる４辺のフィルタ周縁折曲層と、前記正面フィルタ層と前記背面枠状フィルタ層の間に形成された薄層間隙と、上下又は左右に位置する２辺のフィルタ周縁折曲層の夫々に２個の突出口を細長状に形成して構成されるフィルタである。
【００１０】
本発明の第２の形態は、前記矩形状開口部の境界を形成する前記背面枠状フィルタ層の周縁に解れ防止用のステッチを形成し、前記突出口の周縁に解れ防止用のホールステッチを形成したフィルタである。
【００１１】
本発明の第３の形態は、前記正面フィルタ層と前記背面枠状フィルタ層と４辺の前記フィルタ周縁折曲層が一枚の平面状の繊維フィルタ材料から一体に加工形成されるフィルタである。
【００１２】
本発明の第４の形態は、前記繊維フィルタ材料が有機繊維材料、無機繊維材料又は複合繊維材料から形成されるフィルタである。
【００１３】
本発明の第５の形態は、前記繊維フィルタ材料は立体編成された厚手の繊維フィルタ材料であるフィルタである。
【００１４】
本発明の第６の形態は、第１形態〜第５形態のいずれかに記載のフィルタを用意し、線材を矩形状に折曲形成して対向する２本の縦線材と対向する２本の横線材が連続した周囲線材を設け、２本の縦線材の中間位置で縦線材同士を直交状に連結する１本以上の中間線材を配置し、２本の前記横線材の夫々に外向き状に２個の突起を形成した可撓性を有する内側線材フレームを形成し、前記フィルタの正面フィルタ層と前記背面枠状フィルタ層の間の前記薄層間隙に前記内側線材フレームを内装し、２本の前記横線材の外向き状の２個の突起を２辺のフィルタ周縁折曲層の夫々に形成された２個の突出口に挿入して突出配置させて、前記フィルタと前記内側線材フレームを一体化させたフィルタ中間体である。
【００１５】
本発明の第７の形態は、第６形態のフィルタ中間体を用意し、前記フィルタ中間体を装着する外枠フレームが配置され、前記外枠フレームは、中央に矩形状開放部を開口するように左右にある２本の縦押え板と上下にある２本の横押え板を矩形状に配置して形成された周囲押え板と、２本の横押え板の夫々の外側側縁に形成された取付レール部と、２本の前記取付レール部の夫々の内側に平行して断面Ｌ字状に形成された嵌込ガイド部と、前記嵌込ガイド部は押接板と外れ防止板を断面Ｌ字状に２本の前記嵌込ガイド部の夫々と前記横押え板により内方に開口形成された長溝と、２本の前記長溝の両端を封鎖するように２本の前記縦押え板の夫々の外側側縁に配置された側板から構成され、前記フィルタ中間体の上側にある２個の突起を前記外枠フレームの上側にある前記長溝に溝底面に当接するように挿入し、下側にある２個の突起を前記外枠フレームの下側にある前記長溝に溝底面に当接するように挿入して、前記突起が前記嵌込ガイド部の外れ防止板により外方へ抜け出ることが阻止されるフィルタ組立体である。
【００１６】
本発明の第８の形態は、第７形態のフィルタ組立体をレンジフードの上側コ字型レールと下側コ字型レールに嵌め込むときに、前記フィルタ組立体を構成するフィルタの正面フィルタ層が手前になるように配置し、前記フィルタ組立体の下側の取付レール部を前記下側コ字型レールに嵌込み、前記フィルタ組立体の上側の取付レール部を前記上側コ字型レールに嵌込んで、前記フィルタ組立体をレンジフードに装着するレンジフードである。
【発明の効果】
【００１７】
本発明の第１の形態によれば、正面側に平面状の繊維フィルタ材料を矩形に形成した正面フィルタ層と、背面側に平面状の繊維フィルタ材料を中央に大面積の矩形状開口部を有して矩形枠状に形成した背面枠状フィルタ層から構成されているから、正面フィルタ層の横長及び縦長よりも背面枠状フィルタ層の枠幅を小さく設定すれば、空気流が主として通過するフィルタ領域は正面フィルタ層の一層（換言すれば、一枚）だけになり、フィルタ前後における空気流の圧力差、即ち圧損を極力小さくでき、空気流の通過効率が高い為に、空気流を連続的に流して空気流に含有される油分や塵埃の除去効率を高効率化することができる。しかも中央の矩形状開口部の面積が大面積に設定されるから、フィルタの使用量は、正面フィルタ層の一枚と小面積の背面枠状フィルタ層だけであり、フィルタ使用量の低減によってフィルタの原価コストを低減できる特徴を有する。
【００１８】
正面フィルタ層は矩形であり、その横長をＨ１、縦長をＨ２とする。また、背面枠状フィルタ層を２本の縦枠と２本の横枠に分け、縦枠の平均幅を縦枠幅Ｗ１とし、横枠の平均幅を横枠幅Ｗ２とする。このとき、横長Ｈ１と縦枠幅Ｗ１の比率Ｗ１／Ｈ１及び縦長Ｈ２と横枠幅Ｗ２の比率Ｗ２／Ｈ２を、０＜Ｗ１／Ｈ１≦０．１５、０＜Ｗ２／Ｈ２≦０．１５に設定すれば、前述した圧損及びフィルタ使用量を小さくできる効果がある。特に、０．０２≦Ｗ１／Ｈ１≦０．１２、０．０２≦Ｗ２／Ｈ２≦０．１２に設定すれば、一層に圧損を小さくでき、油分や塵埃の除去効率を高く保持することができる。最も効率的には、０．０３≦Ｗ１／Ｈ１≦０．１０、０．０３≦Ｗ２／Ｈ２≦０．１０に設定すれば、圧損とフィルタ使用量を一層に低減できる。Ｗ１／Ｈ１とＷ２／Ｈ２の下限値は、後述する内側線材フレームとの結合力を与え、Ｗ１／Ｈ１とＷ２／Ｈ２の上限値はフィルタ使用量と圧損の低減度を与える。下限値が大きい程、内側線材フレームとの結合量は大きくなり、上限値が小さい程、正面フィルタ層の一枚領域が大きくなるから、フィルタ使用量と圧損の低減度は大きくなる。下限値と上限値の両者を調整することによって、フィルタの使用量と圧損を調整できる特徴を有する。更に、Ｗ１／Ｈ１とＷ２／Ｈ２の上限値を小さくするほど矩形状開口部の面積を大きくでき、後述する内側線材フレームのフィルタへの内装が容易になる。
【００１９】
矩形状とは矩形（又は四角形）のみならず矩形の近似形を含む概念で、全体的には矩形でありながら輪郭が緩やかな湾曲形やその他形状も本発明の矩形概念に包含される。従って、場所により幅が変動する場合には、前記縦枠幅Ｗ１や前記横枠幅Ｗ２は平均幅として定義され、平均幅が上記数値範囲内に該当する場合も本形態に包含されるものである。
【００２０】
また、本形態のフィルタでは、前記正面フィルタ層の４辺の周縁と前記背面枠状フィルタ層の４辺の周縁を連接状に折曲して形成された繊維フィルタ材料からなる４辺のフィルタ周縁折曲層を設けたから、前記正面フィルタ層と前記背面枠状フィルタ層とはフィルタ周縁折曲層を介して一枚のフィルタを折り返した形状を為すためフィルタ強度が強く、しかも正面フィルタ層の四辺領域は背面枠状フィルタ層と重なるため輪郭領域が２枚重ね構造を有しており、フィルタの周囲が強度的に強化され、長期使用に耐える構造となっている。
【００２１】
前記正面フィルタ層と前記背面枠状フィルタ層の間には薄層間隙が形成されており、周辺領域だけが２枚重ねだとしても、本発明のフィルタが全体として薄い平面構造を有する結果、フィルタの収納・整理・管理が容易になる。また、後述するように、前記薄層間隙に内側線材フレームを内装すれば、腰のあるフィルタ中間体を容易に構成できる。
【００２２】
更に、上下又は左右に位置する２辺のフィルタ周縁折曲層の夫々に２個の突出口が細長状に形成されており、後述するように、内側線材フレームをフィルタに内装した後、前記突出口に内側線材フレームの突起を挿入突出させれば、フィルタからの内側線材フレームの脱落を防止でき、強固なフィルタ中間体を構成することができる。
なお、正面フィルタ層の表面に難燃剤など他の材料を塗着させたり、フィルタを構成する繊維自体に薬材を担持させることができる。
【００２３】
本発明の第２の形態によれば、前記矩形状開口部の境界を形成する前記背面枠状フィルタ層の周縁に解れ防止用のステッチを形成し、前記突出口の周縁に解れ防止用のホールステッチを形成したフィルタを提供できる。本発明のフィルタは、平面状の繊維フィルタ材料を所定形状に切断して形成されており、切断面は比較的繊維端が解れ易い傾向を有している。そこで、解れを防止するために、切断線に沿って切断面を糸でクルクル巻いた糸かがりを行い、糸かがり領域を本発明ではステッチと称する。また、突出口の周縁のステッチはボタン穴と同様にホールステッチと称する。従って、背面枠状フィルタ層の周縁に解れ防止用のステッチを形成し、突出口の周縁に解れ防止用のホールステッチを形成することによって、切断面の解れが防止でき、フィルタの寿命を長期化することができる。
【００２４】
本発明の第３の形態によれば、前記正面フィルタ層と前記背面枠状フィルタ層と４辺の前記フィルタ周縁折曲層が一枚の平面状の繊維フィルタ材料から一体に加工形成されるフィルタが提供できる。裁断された一枚の平面状の繊維フィルタ材料を所定形状に折り畳んで本発明のフィルタ形状にし、その後に必要領域を縫製するだけで完成する。従って、縫製する領域が少なくなり、加工時間を短縮でき、縫製費用の低減によってフィルタコストを安価にすることができる。
【００２５】
本発明の第４の形態によれば、前記繊維フィルタ材料が有機繊維材料、無機繊維材料又は複合繊維材料から形成されるフィルタを提供できる。
有機繊維材料には、合成繊維、半合成繊維、再生繊維が含まれる。合成繊維には、ナイロン、ポリエステル、アクリル、ビニロン、ポリオレフィン、ポリウレタン、含ハロゲン系等が含まれる。半合成繊維には、天然高分子を化学反応させて異質の高分子と為した繊維材料であり、アセチルセルロース、アセテート、トリアセテート等が一例である。再生繊維にはレーヨン、ポリノジック、キュプラ、リヨセル、アセテート等が含まれる。無機繊維材料には、ガラス繊維や炭素繊維が一例として挙げられる。
複合繊維材料には、複数の有機繊維を複合させたり、複数の無機繊維を複合させたり、有機繊維と無機繊維を複合させる等、種々の複合繊維が含まれる。
【００２６】
本発明の第５の形態によれば、前記繊維フィルタ材料は立体編成された厚手の繊維フィルタ材料であるフィルタが提供できる。立体編物とは表面層と中間層と裏面層の様に複数層からなる編物であり、厚手で弾力性を有した編物である。この様な立体編物からフィルタを構成すると、厚手でしかも弾力性を有したフィルタを形成できる。繊維としては、上述したように、有機繊維材料、無機繊維材料又は複合繊維材料を使用できる。
【００２７】
本発明の第６の形態によれば、第１形態〜第５形態のいずれかに記載のフィルタを用意し、他方で後述する内側線材フレームを用意し、内側線材フレームをフィルタの中に装入して一体化したフィルタ中間体が提供できる。フィルタ自体は繊維材料であるから柔軟であるが、内側線材フレームを内装してフィルタ中間体とすることによって全体として強度のある平面形態を保持でき、しかも可撓性を有する。
内側線材フレームは次のような構造である。即ち、線材を矩形状に折曲形成して対向する２本の縦線材と対向する２本の横線材が連続した周囲線材を設け、２本の縦線材の中間位置で縦線材同士を直交状に連結する１本以上の中間線材を配置し、２本の前記横線材の夫々に外向き状に２個の突起を形成した可撓性を有する内側線材フレームを成形する。この様な構造であるから、内側線材フレームは可撓性を有した骨格を与えるだけで、空気流の通過に対しては殆ど抵抗作用を示さず、圧損を生じる部材では無い。
また、内側線材フレームは可撓性を有するから、内側線材フレームを撓ませながら、前記フィルタの正面フィルタ層と前記背面枠状フィルタ層の間の前記薄層間隙に前記内側線材フレームを簡単に内装することができる。
更に、２本の前記横線材の外向き状の２個の突起を２辺のフィルタ周縁折曲層の夫々に形成された２個の突出口に挿入して突出配置させると、内側線材フレームとフィルタとの結合力が高まり、内側線材フレームがフィルタから脱離することはない。しかも、内側線材フレームは背面枠状フィルタ層で押えられているから、内側線材フレームのフィルタからの脱離は殆ど無くなる。従って、前記フィルタと前記内側線材フレームとが強固に一体化したフィルタ中間体が得られる。
【００２８】
本発明の第７の形態によれば、第６形態のフィルタ中間体を用意し、他方で後述する外枠フレームを用意し、フィルタ中間体を外枠フレームに嵌め込んで一体化したフィルタ組立体が提供できる。外枠フレームはレンジフードに装着するための部材であり、フィルタ組立体が完成されれば、そのままレンジフードに簡単に装着できることになる。
前記外枠フレームは、中央に矩形状開放部を開口するように左右にある２本の縦押え板と上下にある２本の横押え板を矩形状に配置して形成された周囲押え板と、２本の横押え板の夫々の外側側縁に形成された取付レール部と、２本の前記取付レール部の夫々の内側に平行して断面Ｌ字状に形成された嵌込ガイド部と、前記嵌込ガイド部は押接板と外れ防止板を断面Ｌ字状に２本の前記嵌込ガイド部の夫々と前記横押え板により内方に開口形成された長溝と、２本の前記長溝の両端を封鎖するように２本の前記縦押え板の夫々の外側側縁に配置された側板から構成されている。
フィルタ中間体を外枠フレームに装着するには、前記フィルタ中間体の上側にある２個の突起を前記外枠フレームの上側にある前記長溝に溝底面に当接するように挿入し、下側にある２個の突起を前記外枠フレームの下側にある前記長溝に溝底面に当接するように挿入すれば、極めて簡単にフィルタ組立体を完成することができる。このフィルタ組立体では、上下にある前記突起が前記嵌込ガイド部の外れ防止板により外方へ抜け出ることが阻止され、フィルタ中間体が外枠フレームから離脱することが無く、安定したフィルタ組立体が提供できる。しかも、上下の突起が溝底面に当接するだけであり、フィルタ周囲の繊維面が溝底面に直接的に当接することが無いので、繊維面の摩耗が生じず、フィルタの長寿命化を達成することができる。
【００２９】
本発明の第８の形態によれば、第７形態のフィルタ組立体をレンジフードの上側コ字型レールと下側コ字型レールに嵌め込むときに、前記フィルタ組立体を構成するフィルタの正面フィルタ層が手前になるように配置するから、レンジフードのある調理場に立つ調理者は、美観を有したフィルタの正面フィルタ層を見ることになり、看者に対するフィルタの美観を保持できる。
また、前記フィルタ組立体の下側の取付レール部を前記下側コ字型レールに嵌込み、前記フィルタ組立体の上側の取付レール部を前記上側コ字型レールに嵌込んで、前記フィルタ組立体をレンジフードに装着するから、極めて簡単にフィルタ組立体をレンジフードに取り付けることができ、フィルタの取り付け、取り外しが極めて容易なレンジフードを提供できる。
【図面の簡単な説明】
【００３０】
【図１】図１は、本発明に係るフィルタの背面側斜視図である。
【図２】図２は、本発明に係るフィルタの正面側斜視図である。
【図３】図３は、図２のＡ−Ａ線及びＢ−Ｂ線断面端面図である。
【図４】図４は、本発明に係るフィルタの内部に装着される内側線材フレームの斜視図である。
【図５】図５は、本発明に係るフィルタの内部に内側線材フレームを装着する装着組立図である。
【図６】図６は、本発明に係るフィルタの内部に内側線材フレームを装着して構成されたフィルタ中間体の斜視図である。
【図７】図７は、本発明においてフィルタ中間体を外枠フレームに装着してフィルタ組立体を完成する完成組立図である。
【図８】図８は、本発明において完成されたフィルタ組立体の背面側斜視図である。
【図９】図９は、本発明において完成されたフィルタ組立体の正面側斜視図である。
【図１０】図１０は、本発明において完成されたフィルタ組立体をレンジフードに取り付けた取付断面図である。
【図１１】図１１は、従来技術である特開２０１２−２１０５９７号公報（特許文献１）に記載された複合フィルタの斜視図である。
【図１２】図１２は、従来技術である実用新案登録第３１０１１９７号公報（特許文献２）に記載された汚れ防止カバーとフィルタ部との組合図である。
【発明を実施するための形態】
【００３１】
以下に本発明に係るフィルタ、フィルタ中間体、フィルタ組立体及びレンジフードの実施形態を図面に従って詳細に説明する。
図１は、本発明に係るフィルタの背面側斜視図である。フィルタ２は、正面側にある一枚状の正面フィルタ層４と、背面側にある略四角枠の背面枠状フィルタ層６から構成されており、背面枠状フィルタ層６が取り囲んだ領域には矩形状開口部５が開口形成されている。背面枠状フィルタ層６と正面フィルタ層との重なり領域には、微小な間隙領域である薄層間隙１３が形成されている。正面フィルタ層４の四辺と背面枠状フィルタ層６の四辺は、フィルタ周縁折曲層１０によって連接されており、換言すれば、正面フィルタ層４と背面枠状フィルタ層６とフィルタ周縁折曲層１０は一枚の平面フィルタ繊維から形成されている。この平面フィルタ繊維は、フィルタ繊維を編成、織成、又は不織成して形成されており、薄手、厚手など各種の布帛形態に形成されることができる。従って、正面フィルタ層４には正面フィルタメッシュ４ａが描かれている。また、背面枠状フィルタ層６を２本の横枠フィルタ層７、７と縦枠フィルタ層８、８に分けると、夫々に横枠フィルタメッシュ７ａと縦枠フィルタメッシュ８ａが描かれている。
【００３２】
フィルタ周縁折曲層１０は上下左右の４辺存在し、上下のフィルタ周縁折曲層１０、１０には夫々２個の突出口１２、１２が形成され、突出口１２の周縁には解れ防止用のホールステッチ１２ａが施されている。背面枠状フィルタ層６の４辺の内方側周縁６ａにも解れ防止用のステッチが施されている。後述するように、内側線材フレーム２３には上下辺に突起２５、２５が突設されており、内側線材フレーム２３をフィルタ２の内部に固定するとき、内側線材フレーム２３を薄層間隙１３に装入し、突起２５、２５を前記突出口１２、１２に挿入して突出させると、内側線材フレーム２３とフィルタ２が固く一体化されるようになる。突出口１２、１２はそのために存在する。また、別の役割は後述する。
背面枠状フィルタ層６の４辺の内方側周縁６ａは直線状に形成されているが、全体として四角形状であれば内方側周縁６ａを湾曲状・波形状・三角状等の各種形状に形成しても良いことは云うまでもない。
【００３３】
正面フィルタ層４の横幅方向の長さを横長Ｈ１とし、縦幅方向の長さを縦長Ｈ２とする。背面枠状フィルタ層６を２本の横枠フィルタ層７、７と２本の縦枠フィルタ層８、８とするとき、縦枠フィルタ層８の平均縦枠幅を縦幅Ｗ１とし、横枠フィルタ層７の平均横枠幅を横幅Ｗ２とする。フィルタ作用を実施するとき、主として空気流は矩形状開口部５から正面フィルタ層４を透過するように構成すれば、フィルタ作用は主に１枚の正面フィルタ層４により実現され、フィルタの使用量の低減により原価コストを従来の２枚物と比較して格段に低減することができ、しかも一枚であるから空気流のフィルタ前後の圧力差、即ち圧損が小さくなり、空気通過量が増大して蒸発油分や塵埃の捕集率が増大する。そのためには、正面フィルタ層４と比較して背面枠状フィルタ層６の面積を極力小さくすることが必要になる。
【００３４】
上記の面積低減は、比率Ｗ１／Ｈ１と比率Ｗ２／Ｈ２を小さくすることによって実現される。一方、後述する内側線材フレーム２０は、正面フィルタ層４と背面枠状フィルタ層６の間にある薄層間隙１３の中に装着される。つまり、内側線材フレーム２０を固定するには、縦幅Ｗ１と横幅Ｗ２が、Ｗ１＞０、Ｗ２＞０が条件になり、縦幅Ｗ１と横幅Ｗ２が大きくなるほど固定力が増大する。しかも、面積低減のためには比率Ｗ１／Ｈ１と比率Ｗ２／Ｈ２を小さくする必要がある。
本発明者等の研究によれば、以下のことが分かった。０＜Ｗ１／Ｈ１≦０．１５、０＜Ｗ２／Ｈ２≦０．１５に設定すれば、前述した圧損及びフィルタ使用量を小さくできる効果がある。特に、内側線材フレーム２０の固定力も考慮して、０．０２≦Ｗ１／Ｈ１≦０．１２、０．０２≦Ｗ２／Ｈ２≦０．１２に設定すれば、一層に圧損を小さくでき、油分や塵埃の除去効率を高く保持することができる。最も効率的には、０．０３≦Ｗ１／Ｈ１≦０．１０、０．０３≦Ｗ２／Ｈ２≦０．１０に設定すれば、圧損とフィルタ使用量を一層に低減できる。この様に、Ｗ１／Ｈ１とＷ２／Ｈ２の下限値と上限値の両者を調整することによって、フィルタの使用量と圧損を調整できる特徴を有する。更に、Ｗ１／Ｈ１とＷ２／Ｈ２の上限値を小さくするほど矩形状開口部の面積を大きくでき、後述する内側線材フレームのフィルタへの内装が容易になる。これは本発明者等により初めて発見されたものである。
【００３５】
図２は、本発明に係るフィルタの正面側斜視図である。フィルタ２の正面側の全面には形成された正面フィルタ層４には正面フィルタメッシュ４ａが描かれ、その４辺にはフィルタ周縁折曲層１０が形成されている。上下のあるフィルタ周縁折曲層１０、１０には突出口１２、１２が開口され、その周囲にはホールステッチ１２ａ、１２ａが形成されていることが分かる。
【００３６】
図３は、図２のＡ−Ａ線及びＢ−Ｂ線断面端面図である。（３Ａ）は図２のＡ−Ａ線断面端面図である。正面フィルタ層４の上下端にはコ字型になるように、フィルタ周縁折曲層１０を介して横枠フィルタ層７が形成され、コ字型の内部に薄層間隙１３が形成され、中央には大面積の矩形状開口部５が開口配置されている。この薄層間隙１３の内部に、後述する内側線材フレーム２０が配置され、内側線材フレーム２０がフィルタ周縁折曲層１０に当接するまで装入されることになる。
（３Ａ）は図２のＢ−Ｂ線断面端面図である。フィルタ周縁折曲層１０に突出口１２が切り込み形成されている。この突出口１２に内側線材フレーム２０の突起２５が挿入して突出配置され、前記薄層間隙１３による押え込みと突起２５の突出配置によって、内側線材フレーム２０がフィルタ２から脱落することが防止される。
【００３７】
図４は、本発明に係るフィルタの内部に装着される内側線材フレームの斜視図である。内側線材フレーム２０は針金などの線材から形成され、周囲は２本の縦線材２２、２２と２本の横線材２３、２３を矩形状に卷回した周囲線材２４から形成されている。２本の横線材２３、２３の夫々には、適切な位置に突起２５、２５が形成されている。また、縦線材２２と縦線材２２を直交する２箇所には、中間線材２６、２６が配設されている。この様に、内側線材フレーム２０は疎らな構造体であるから、前述したフィルタ２の中に装入されても、空気流の流通に対し全く抵抗にはならない。中間線材２６、２６の存在により、縦線材２２、２２の幅は規制されるから、内側線材フレーム２０は左右方向に伸縮することはできない。他方、横線材２３、２３には規制する線材が存在しないから、横線材２３と横線材２３を上下方向に圧縮・引張することはでき、内側線材フレーム２０を変形させることができる。勿論、平面状の内側線材フレーム２を捩ることにより平面が捩り変形することが可能である。後述するように、これらの弾力性により、内側線材フレーム２０の四辺を簡単にフィルタ２の薄層間隙１３内に装入することができる。
【００３８】
図５は、本発明に係るフィルタの内部に内側線材フレームを装着する装着組立図である。内側線材フレーム２０を矢印Ｃ方向にフィルタ２に装入するには、下記の手順により。まず、内側線材フレーム２０の平面を右回り又は左回りに所定角度だけ回転させ、内側線材フレーム２０の上側の両角部をフィルタ２の矩形状開口部５から上側の薄層間隙１３、１３の中に装入させる。次に、内側線材フレーム２０を撓ませながら、内側線材フレーム２０の下側の両角部を下側の薄層間隙１３、１３の中に装入させ、内側線材フレーム２０を元の位置まで逆回転させる。この様にして、簡単に内側線材フレーム２０をフィルタ２に装入させることができる。フィルタ２は繊維状フィルタであるから多少の伸縮性を有しており、しかも内側線材フレーム２０が可撓性と捩り変形性を有するから、両者の組み込みは容易に行うことができる。
【００３９】
図６は、本発明に係るフィルタの内部に内側線材フレームを装着して構成されたフィルタ中間体の斜視図である。内側線材フレーム２０とフィルタ２を一体化させたものがフィルタ中間体２８である。点線で表示された横線材２３、２３は横枠フィルタ層７、７の下にある薄層間隙１３、１３に入っており、点線で表示された縦線材２２、２２は縦枠フィルタ層８、８の下にある薄層間隙１３、１３内に入り、周囲にあるフィルタ周縁折曲層１０、１０、１０、１０に当接して規制されている。また、上下の突起２５、２５は上下の突出口１２、１２から突出している。このようにして、内側線材フレーム２０はフィルタ２の中に脱落できないように保持される。この保持作用は、主として突出口１２による突起２５の規制と背面枠状フィルタ層６による周囲線材２４の規制により担保されている。
フィルタ２が内側線材フレーム２０に対し多少のサイズ余裕を有しても、上記保持作用は有効に働き、フィルタ２が確実に内側線材フレーム２０を包持し、安定したフィルタ中間体２８が形成される。
【００４０】
図７は、本発明においてフィルタ中間体を外枠フレームに装着してフィルタ組立体を完成する完成組立図である。
フィルタ中間体２８を用意し、他方で後述する外枠フレーム３６を用意し、フィルタ中間体２８を矢印Ｄ方向へと外枠フレーム３６に嵌め込んでフィルタ組立体として一体化する。外枠フレーム３６はレンジフードに装着するための部材であり、フィルタ組立体が完成されれば、そのままレンジフードに簡単に装着できることになる。
本実施形態において、外枠フレーム３６は以下のような構造を有する。前記外枠フレーム３６において、中央に矩形状開放部４９を開口するように左右にある２本の縦押え板４４、４４と上下にある２本の横押え板３９、３９を矩形状に配置して周囲押え板４５を配置する。２本の横押え板３９、３９の夫々の外側側縁には断面コ字型の取付レール部４２、４２が形成され、これらの取付レール部４２は当接レール４２ａと外れ防止レール４２ｂから構成される。当接レール４２ａは、後述するレンジフードのコ字型レールの溝面に当接し、外れ防止レール４２ｂはレンジフードのコ字型レールの側面に当たって外れることが防止される。
【００４１】
２本の前記取付レール部４２、４２の夫々の内側に平行して断面Ｌ字状に形成された嵌込ガイド部３８、３８が設けられ、前記嵌込ガイド部３８、３８は押接板３８ａと外れ防止板３８ｂを断面Ｌ字状に配置して形成されている。上下にある２本の前記嵌込ガイド部３８、３８と前記横押え板３９、３９により内方に長溝４１、４１を形成し、２本の前記長溝４１、４１の両端を封鎖するように２本の側板４３、４３が配置されている。これらの側板４３、４３は、前記縦押え板４４、４４の夫々の外側側縁に配置されて構成される。また、２本の縦押え板４４、４４の間には、中間押え板４０が直交状に配置されている。
【００４２】
フィルタ中間体２８を外枠フレーム３６に装着するには、前記フィルタ中間体２８の上側にある２個の突起２５、２５を前記外枠フレーム３６の上側にある前記長溝４１に溝底面４１ａに当接するように挿入し、下側にある２個の突起２５、２５を前記外枠フレーム３６の下側にある前記長溝４１に溝底面４１ａに当接するように挿入すれば、極めて簡単にフィルタ組立体を完成することができる。このフィルタ組立体では、上下にある前記突起２５、２５が前記嵌込ガイド部３８の外れ防止板３８ｂにより外方へ抜け出ることが阻止され、フィルタ中間体２８が外枠フレーム３６から離脱することが無く、安定したフィルタ組立体が提供できる。しかも、上下の突起２５、２５が溝底面４１ａに当接するだけであり、フィルタ周囲の繊維面が溝底面に直接的に当接することが無いので、繊維面の摩耗が生じず、フィルタの長寿命化を達成することができる。
【００４３】
図８は、本発明において完成されたフィルタ組立体の背面側斜視図である。フィルタ中間体２８が外枠フレーム３６に装着されている。フィルタ中間体２８の２本の中間線材２６、２６が見えており、背面側斜視図であることが分かる。前記フィルタ中間体２８の上側にある２個の突起２５、２５を前記外枠フレーム３６の上側にある前記長溝４１に溝底面４１ａに当接しており、下側にある２個の突起２５、２５が前記外枠フレーム３６の下側にある前記長溝４１に溝底面４１ａに当接するように挿入されている。このように、極めて簡単にフィルタ組立体５０が完成される。このフィルタ組立体５０は、上下にある前記突起２５、２５が前記嵌込ガイド部３８の外れ防止板３８ｂにより外方へ抜け出ることが阻止される。つまり、フィルタ中間体２８が外枠フレーム３６から離脱することが無く、安定したフィルタ組立体５０が構成される。しかも、上下の突起２５、２５が溝底面４１ａに当接するだけであるから、フィルタ周囲の繊維面が溝底面に直接的に当接することが無い。従って、繊維面の摩耗が生じないから、フィルタの長寿命化を達成できる。
【００４４】
図９は、本発明において完成されたフィルタ組立体の正面側斜視図である。正面側から見ると、フィルタ２の正面フィルタ層４の全面が見え、しかも外枠フレーム３６の中間押え板４０が一本見えるだけである。図８の背面側斜視図と比較すると、その違いが明瞭になる。
【００４５】
図１０は、本発明において完成されたフィルタ組立体をレンジフードに取り付けた取付断面図である。一般に、調理場６０は調理場床面５１と前方に壁面５２からなり、その上方にレンジフード５３が配置されている。レンジフード５３は、モータ５５とファン５４と排気管５６からなり、下側コ字型レール５７と上側コ字型レール５８にフィルタ組立体５０を配置して構成される。フィルタ組立体５０を装着するには、フィルタ２の正面フィルタ層４を手前側にして調理人が見えるように配置する。まず、フィルタ組立体５０の上側の取付レール部４２をレンジフード５３の上側コ字型レール５８に押し込み、その後にフィルタ組立体５０の下側の取付レール部４２をレンジフード５３の下側コ字型レール５７に落とす。フィルタ組立体５０は自重で下側コ字型レール５７の最奥部まで嵌り込み、上側の取付レール部４２は上側コ字型レール５８に上に隙間を残して緩く嵌り込む。この様にして、レンジフード５３にフィルタ組立体５０を嵌め込んで完成する。
【００４６】
尚、本発明は上記実施形態に限定されるものではなく、本発明の技術的思想を逸脱しない範囲における変形例、設計変更などをその技術的範囲内に包含するものであることは云うまでもない。
【産業上の利用可能性】
【００４７】
以上詳述したように、本発明によりフィルタ、フィルタ中間体、フィルタ組立体及びレンジフードが提供される。本発明のフィルタは、空気流が主として通過する中央部のフィルタ領域をほぼ一枚から構成してフィルタの原価コストを低減できる。内側線材フレームをフィルタ内部に装入してフィルタ中間体を構成しても、内側線材フレームは線材を疎らに配置しているから全く圧損を生じない疎構造であり、そのため空気流が主として通過する中央部のフィルタ領域がほぼ一枚のフィルタで形成されているから、圧損を極力低減でき、空気流の通過効率が高く、蒸発油分や塵埃を効率的に除去することができる。また、上記フィルタ中間体を外枠フレームに装着するとフィルタ組立体を簡単に完成でき、このフィルタ組合体をレンジフードに装着するだけでレンジフードフィルタとして利用出来る。従って、本発明はレンジフードや換気扇に簡単に装着できるフィルタを売り切り商品として提供できるし、レンタル商品としても提供することができる。
【符号の説明】
【００４８】
２        フィルタ
４        正面フィルタ層
４ａ      正面フィルタメッシュ
５        矩形状開口部
６        背面枠状フィルタ層
６ａ      ステッチ
７        横枠フィルタ層
７ａ      横枠フィルタメッシュ
８        縦枠フィルタ層
８ａ      縦枠フィルタメッシュ
１０      フィルタ周縁折曲層
１２      突出口
１２ａ    ホールステッチ
１３      薄層間隙
２０      内側線材フレーム
２２      縦線材
２３      横線材
２５      突起
２６      中間線材
２８      フィルタ中間体
３６      外枠フレーム
３８      嵌込ガイド部
３８ａ    押接板
３８ｂ    外れ防止板
３９      横押え板
４０      中間押え板
４１      長溝
４１ａ    溝底面
４２      取付レール部
４２ａ    当接レール
４２ｂ    外れ防止レール
４３      側板
４４      縦押え板
４５      周囲押え板
４９      矩形状開放部
５０      フィルタ組立体
５１      調理場床面
５２      壁面
５３      レンジフード
５４      ファン
５５      モータ
５６      排気管
５７      下側コ字型レール
５８      上側コ字型レール
６０      調理場
１０２    複合フィルタ
１０４    第１積層布
１０５    第２積層布
１０６    開口部
１１０    開口部端部
１１１    綴じ代部
１１２    面ファスナ
１１６    縫い代部
１１７    縫い代部
１１８    突出口
２０３    フィルタ部
２０６    フレーム
２０７    金網状本体
２１０    汚れ防止カバー
２１１    袋状部
２１２    緊張手段
２１３    縫合部
２１４    袋縫い部
２１５    弾性線材
Ｃ        矢印
Ｄ        矢印
Ｈ１      横長
Ｈ２      縦長
Ｗ１      縦枠幅
Ｗ２      横枠幅
【図１】
2015039648.tif 000003
【図２】
2015039648.tif 000004
【図３】
2015039648.tif 000005
【図４】
2015039648.tif 000006
【図５】
2015039648.tif 000007
【図６】
2015039648.tif 000008
【図７】
2015039648.tif 000009
【図８】
2015039648.tif 000010
【図９】
2015039648.tif 000011
【図１０】
2015039648.tif 000012
【図１１】
2015039648.tif 000013
【図１２】
2015039648.tif 000014